(57)【要約】      （修正有）【課題】スポーツゲーム等の無線汎用ゲームコントローラの操作を、容易且つ安価に実際のスポーツの操作感覚に極めて近い感覚で疑似体験できるようにする。【解決手段】加速度センサを有する無線汎用ゲームコントローラ５０を取付け可能なスポーツゲーム等の道具の形態を有する本体３を有し、この本体３を操作することにより本体３に取り付けられたゲームコントローラ５０を運動操作するように構成される。【選択図】図４
0003131180.tif 000002
【実用新案登録請求の範囲】
【請求項１】
加速度センサを有する汎用無線ゲームコントローラを取付け可能なスポーツゲーム等の道具の形態を有する本体からなり、該本体を操作することにより該本体に取り付けられた前記ゲームコントローラを運動操作して無線ゲームコントローラの機能を発揮するよう構成されてなることを特徴とするゲームコントローラ用アタッチメント。
【請求項２】
前記本体が、自動車のハンドルの形態を有するものであることを特徴とする請求項１記載のゲームコントローラ用アタッチメント。
【請求項３】
前記本体が、分割可能な複数の部品から構成されていることを特徴とする請求項１または２記載のゲームコントローラ用アタッチメント。
【考案の詳細な説明】
【技術分野】
【０００１】
本考案は、加速度センサを有するスポーツゲーム等の無線ゲームコントローラを取付けて使用するゲームコントローラ用アタッチメントに関する。
【背景技術】
【０００２】
従来からビデオゲーム用のコントローラとして、操作ボタンを有するコントローラが知られている。ユーザはこれらの操作ボタンを押圧操作して、各種のゲーム、例えば、ロールプレイングゲーム、ゴルフのプレイや飛行機の操縦あるいは車の運転などを行うことができるようになっている。しかし、これらの操作ボタンを操作して、ゴルフをしたり、自動車の運転をしたりすることは、実際の感覚や操作感とは異なるものであり、現実感に乏しい。一方、ゲームコントローラ自体を自動車のハンドル形にしたものが知られているが（特許文献１）、このハンドル形のコントローラは大型のゲーム機に接続されている運転ゲーム専用のもので、ゲームセンター等に設置されるものであるから、家庭で手軽に楽しむことはできない。家庭内で楽しめるようにテレビのデイスプレイを利用してゲームを楽しむビデオゲームでは、複雑な操作が要求されるものが多い。
【０００３】
そこで、ゲームコントローラとして加速度センサを内蔵したゴルフクラブの形状にしたもの（特許文献２）が知られている。これは、ゴルフクラブ形のコントローラを実際にゴルフのスイングのように振り回すことにより加速度センサからの信号をゲーム処理装置に送り、そこで計算した弾道を画面に表示して仮想ゴルフを行うようにしたものである。
【特許文献１】特開２００１−１４９６５１号公報
【特許文献２】特開２００５−４６４２２号公報
【考案の開示】
【考案が解決しようとする課題】
【０００４】
これは、ゴルフに特化したゲームであるが、最近、加速度センサを内蔵したゲームコントローラで、ゴルフ、野球、テニス等各種のボールをバットやラケット等の道具で打って遊ぶスポーツをシミュレートしてプレイできるようにした汎用のシミュレーションゲーム用のコントローラ（以下、本明細書では「汎用無線ゲームコントローラ」と称することとする）が開発され実現している。具体的には、任天堂の「Wii」(商標）として知られているコントローラがある。これは、単純な直方体に近い形態を有するもので、それを手に握って振り回し、野球やテニス、あるいはボーリングなどを仮想的にプレイできるものである。
【０００５】
しかし、この汎用無線ゲームコントローラは、そのままでは野球のバットやテニスのラケットと握ったときのグリップ感が異なるので、実際のスポーツの感覚とは相当異なった感覚でプレイすることになる。
【０００６】
そこで、本考案は、このような汎用無線ゲームコントローラを、実際のスポーツと同じような感覚でプレイできるようにする、汎用無線ゲームコントローラ用アタッチメントを提供することを目的とするものである。
【０００７】
また、この汎用無線ゲームコントローラは自動車の運転ゲームにも適用することができる。従来のゲーム機に接続されたハンドルを操作するのとは異なり、テレビ画面から離れて無線でプレイできるので面白いが、コントローラが単純な直方体に近い形態をしているので、ハンドル操作の感覚でプレイできない。
【０００８】
そこで本考案は、自動車のハンドルと同じ感覚で運転ゲームができるようにする汎用無線ゲームコントローラ用アタッチメントを提供することを目的とするものである。
【課題を解決するための手段】
【０００９】
本考案のゲームコントローラ用アタッチメントは、加速度センサを有する汎用無線ゲームコントローラを取付け可能なスポーツゲーム等の道具の形態を有する本体からなり、この本体を操作することにより本体に取り付けられたゲームコントローラを運動操作して無線ゲームコントローラの機能を発揮するよう構成されてなることを特徴とするものである。
【００１０】
また、本体は、自動車のハンドルの形状とすることができる。さらに、本体は、分割可能な複数の部品から構成されてもよい。
【００１１】
また、この本体としては、テニスのラケット、ゴルフクラブ、野球のバットなどの形態を有し、そのグリップの部分に無線汎用ゲームコントローラを取付け可能としたものとすることもできる。
【考案の効果】
【００１２】
本考案のゲームコントローラ用アタッチメントは、加速度センサを有する無線汎用ゲームコントローラを取付け可能なスポーツゲーム等の道具の形態を有する本体からなり、本体を操作することにより本体に取り付けられたゲームコントローラを運動操作して無線ゲームコントローラの機能を発揮するよう構成されているので、無線汎用のゲームコントローラすなわちリモコンを取付けるだけで、各種のゲームの疑似体験をするゲームを実現することができる。また、この本体には電源や配線等の電気部品がいらず、その他の電子部品も不用なので安価であり、且つ手軽に使用することができるという効果を奏する。また、特定用途のゲーム以外のゲームを行う場合は、リモコンをアタッチメントから取り外して、通常のリモコン操作を行えばよいので、他のゲームも支障なく楽しむことができる。
【００１３】
アタッチメントの本体が自動車のハンドルの形状である場合は、簡単に実際の自動車を運転する感覚でゲームを行うことができる。また、本体が分割可能な複数の部品から構成されている場合は、アタッチメントをコンパクトに収納、運搬することができる。
【考案を実施するための最良の形態】
【００１４】
以下、本考案の無線汎用ゲームコントローラ用アタッチメント（以下、単にアタッチメントという）の一例について、添付図を参照して詳細に説明する。図１は、アタッチメント１の斜視図を示す。図１からわかるように、アタッチメント１は、上側の一部が切り欠かれた略円形のハンドル形状を呈しており、例えば、合成樹脂（プラスチック）から成型される本体３は、手で持って操作する把持部２と、この把持部２の下側に位置する連結部４から構成されている。すなわち本体３は、複数の部品から構成されている。なお、ここで上下とは、連結部４を下側にして把持部２を両手で持った状態を基準にしていうものとする。
【００１５】
把持部２は、左右１組の把持部半体２ａ、２ｂから構成されている。把持部半体２ａ、２ｂの間は、把持部２の上方に位置する左右に延びる壁６により連結されている。壁６は、２つの壁半体６ａ、６ｂから構成されている。この壁半体６ａ、６ｂの詳細については後述する。壁６の下側には壁６から下方に離隔して短壁８、１０が壁６と平行に設けられている。短壁８は把持部半体２ａから把持部半体２ａと一体に延出し、短壁１０は把持部半体２ｂから把持部半体２ａと対向するように一体に延出している。短壁８、１０の先端は互いに離隔している。これらの壁６、短壁８、１０により汎用の無線のゲームコントローラ（以下、単にコントローラという）５０（図４）を受容する略矩形の受容部１２が構成される。なお、この受容部１２の内周形状は、コントローラ５０の外形形状と略相似形である。
【００１６】
壁６の下部には壁６の長手方向に沿って短壁１０に向けてわずかに突出したリブすなわちストッパ１４が壁６と一体に形成されている。また、把持部半体２ａの下部には受容部１２の内側に向けて別のストッパ１６がストッパ１４と直角を成すように形成されている。これらのストッパ１４、１６は、コントローラを受容部１２にアタッチメント１の上面側から挿入したときに下方へ抜け出るのを阻止する抜止となる。ここで上面側とは図１において本体３の見える側をいう。
【００１７】
次に、図２および図３を参照して、アタッチメント１の組み立て方法について説明する。図２は把持部半体２ａ、２ｂを組み立てる方法を示す組立図であり、図３は連結部４を把持部２に組み付ける方法を示す組立図である。なお、図２および図３は、図１のアタッチメント１を逆側すなわち下面側（裏面側）から見た状態を示している。図２に示すように壁半体６ａの先端には舌片１８が壁半体６ａの延長線に沿って突設されている。他方、壁半体６ｂの、舌片１８に対応する位置には開口２０が形成されている。開口２０の近傍には舌片１８の厚みを収容する段差２０ａが形成されている。把持部半体２ａ、２ｂを、図２に示す位置関係にして、舌片１８を矢印２１で示す方向に移動させて開口２０に挿入した後、矢印２２で示す方向に把持部半体２ａを回動させると、舌片１８が、段差２０ａ内に位置決めされるとともに直線的な壁６が一体的に構成される。また、図２からわかるように。短壁１０にもリブすなわちストッパ１５が受容部１２内に突設されている。このストッパ１５はストッパ１４と対向する位置に形成されており、このストッパ１５もコンとローラ５０の抜け止めとなる。なお、把持部半体２ａ、２ｂの下端の斜面２３に見えるＴ字状部は、Ｔ字状の溝２４の開口部を示している。この溝２４は、各把持部半体２ａ、２ｂの厚み方向に途中まで延びており、貫通はしていない。
【００１８】
次に、図３に示すように連結部４を把持部２に嵌め込む工程について説明する。連結部４の両端には、前述のＴ字状の溝２４に対応するＴ字状の断面形状を有する凸リブ２６が形成されている。この連結部４を図３に示す位置から、矢印２８で示す方向に凸リブ２６を溝２４に押し込むと、把持部半体２ａ、２ｂは、連結部４と一体的に連結されてアタッチメント１の本体３が構成される。図３に１７で示すのは、把持部半体２ｂのストッパ１６近傍に貼着された弾性シート部材を示す。この弾性シート部材１７は、コントローラ５０が受容部１２に受容されたときに、コントローラ５０ががたつかないように、また、アタッチメント１を上下面逆にしたときにコントローラ５０が受容部１２から落下しないように、コントローラ５０を押圧保持するためのものである。
【００１９】
次に図４を参照して、アタッチメント１にコントローラ５０を取り付ける方法について説明する。図４はコントローラ５０のアタッチメント１への取付け方法を示す斜視図である。アタッチメント１の受容部１２に、アタッチメント１の上面側からコントローラ５０のストラップ５２を先に挿入し、コントローラ５０自体をコントローラ５０の操作面５４を上にして受容部１２に嵌め込む。
【００２０】
このようにしてコントローラ５０がアタッチメント１に取り付けられた状態を図５に示す。図５は、コントローラ５０が取り付けられたアタッチメント１およびこのアタッチメント１を使用する際の状態を示す図である。コントローラ５０は、例えば６軸の加速度センサを有しており、ユーザはゲームをする際は、図５に示すように、ハンドル形のアタッチメント１を両手６０で持って、実際の操舵感覚を体感できる。すなわちアタッチメント１を左右に回転させれば、ビデオ画面（図示せず）内の自動車も左右に向く。また、操作者に対し、接離する方向にアタッチメント１を移動させてもこの動きを感知できるので、コントローラ５０のボタンで設定して、例えば、自動車のギヤチェンジ等に割り当てて使用するというような使い方もできる。
【００２１】
以上、本考案の最良の形態について説明したが、上記実施形態に限定されるものではなく種々の変更変形が可能であることはいうまでもない。例えば、本体は分割式でなくとも一体型であってもよい。
【産業上の利用可能性】
【００２２】
本考案のゲームコントローラ用アタッチメントは、加速度センサを有する無線汎用ゲームコントローラを使用する各種のビデオゲームに適用することができる。その適用範囲は、野球、テニス、ゴルフ、卓球等の打撃道具とボールを使った球技のみならず、ボーリングのようなボールだけを使うスポーツ、あるいは自動車レースのような車の運転競技、スポーツフィッシングのような競技、剣道のような格闘技など、極めて広いものである。
【図面の簡単な説明】
【００２３】
【図１】本考案の一実施例となるゲームコントローラ用アタッチメントの斜視図
【図２】図１のゲームコントローラ用アタッチメントの把持部半体を組み立てる方法を示す図
【図３】図１のゲームコントローラ用アタッチメントの連結部を把持部に組み付ける方法を示す図
【図４】ゲームコントローラの、アタッチメントへの取付け方法を示す斜視図
【図５】ゲームコントローラが取付けられたゲームコントローラ用アタッチメントおよびこのゲームコントローラ用アタッチメントを使用する際の態様を示す図
【符号の説明】
【００２４】
１    ゲームコントローラ用アタッチメント
２    把持部
２ａ、２ｂ    把持部半体
３    本体
４    連結部
【図１】
0003131180.tif 000003
【図２】
0003131180.tif 000004
【図３】
0003131180.tif 000005
【図４】
0003131180.tif 000006
【図５】
0003131180.tif 000007
【手続補正書】
【提出日】平成19年2月14日(2007.2.14)
【手続補正１】
【補正対象書類名】実用新案登録請求の範囲
【補正対象項目名】全文
【補正方法】変更
【補正の内容】
【実用新案登録請求の範囲】
【請求項１】
加速度センサを有する汎用無線ゲームコントローラ（５０）の操作によりプレイ可能なスポーツゲームの道具の形態を有する本体（３）と、該本体（３）に設けられた、前記汎用無線ゲームコントローラ（５０）を取り付けるための略矩形の受容部（１２）とからなることを特徴とするゲームコントローラ用アタッチメント（１）。
【請求項２】
前記本体（３）が、自動車のハンドルの形態を有するものであることを特徴とする請求項１記載のゲームコントローラ用アタッチメント（１）。
【請求項３】
前記本体（３）が、分割可能な複数の部品（２a、２ｂ、４）から構成されていることを特徴とする請求項１または２記載のゲームコントローラ用アタッチメント（１）。